(57)【特許請求の範囲】
【請求項１】
付加情報付きコンテンツを受信する受信部と、自分の現在位置を測定する現在位置測定部と、車でのカーナビ用モードとするか人が歩くマンナビ用モードとするかの手動入力部と、本端末装置が現在前記カーナビ用モードか前記マンナビ用モードかの現在モードを記憶するモード記憶部と、前記カーナビ用モードにおける属性設定情報を記憶するカーナビ用情報記憶部と、前記マンナビ用モードにおける属性設定情報を記憶するマンナビ用情報記憶部と、表示部と、本端末装置を制御する制御部を備え、
前記制御部は、前記受信部で前記付加情報付きコンテンツを受信したかを判断し、受信したとき前記現在位置測定部から前記現在位置を取り出し且つ前記モード記憶部から前記現在モードを取り出し、取り出した前記現在モードが前記カーナビ用モードか前記マンナビ用モードかに応じて前記カーナビ用情報記憶部か前記マンナビ用情報記憶部に記憶の前記属性設定情報からフィルタ条件を取り出し、且つ前記受信部で受信した前記付加情報付きコンテンツからその付加情報を取り出し、前記現在位置測定部から取り出した前記現在位置および前記カーナビ用情報記憶部か前記マンナビ用情報記憶部から取り出した前記フィルタ条件と、前記付加情報付きコンテンツから取り出した前記付加情報が合致しているかを判断し、合致しているとき前記受信部で受信した前記付加情報付きコンテンツのうちのコンテンツを前記表示部で表示することを特徴とする端末装置。
【請求項２】
請求項１記載において、前記手動入力部が、前記表示部の画面に配置のキーを含み、前記キーの入力により、前記カーナビ用モードか前記マンナビ用モードかを選択するのを可能とすることを特徴とする端末装置。
【請求項３】
請求項１記載において、前記手動入力部が、前記表示部の画面に表示されたカーナビ用とマンナビ用の選択肢のいずれかを押すことで前記カーナビ用モードか前記マンナビ用モードかのモードを変えるメニュー装置であることを特徴とする端末装置。
【発明の詳細な説明】
【０００１】
【発明の属する技術分野】
本発明は、経路の誘導情報を表示する地図情報表示を有する端末装置に関する。
【０００２】
【従来の技術】
車にナビゲーション端末装置を設置して、画面上に地図を表示し、目的地を探し、目的地までの経路を、画面上で、視覚的に確認しながら車を走らせるカーナビゲーションが、普及しつつある。
【０００３】
また、相手の携帯電話により迎えの要求があった場合、発信者付近の基地局よりのナビ情報により、相手のいる場所を含む周辺の地図を、カーナビゲーション端末装置で表示するシステムも世の中で実施されている。
【０００４】
なお、この種のカーナビゲーション端末装置として関連するものとしては、例えば特開２０００−５５６８２号公報の中にも記載されている。
【０００５】
このように、ナビゲーション端末装置が現在カーナビゲーション端末装置で実施されているが、近い将来人が歩く際のマンナビゲーション端末装置としても普及することが期待される。
【０００６】
【発明が解決しようとする課題】
しかしながら、マンナビゲーション端末装置がカーナビゲーション端末装置と別に必要とするのでは、ユーザにとり、不便であり、一台のナビ端末装置が、カーナビナビゲーション用にまたマンナビゲーション用の両用に使用できると便利である。
【０００７】
ところが、一台のナビゲーション端末装置で両用にしようとすると、例えばカー用としての車の速度と、マン用としての歩く速度とが異なるため、カー用，マン用それぞれに適した設定条件が異なり、したがって、カー用の設定条件はマン用の設定条件に合わず、マン用と使用すると、不便である。
【０００８】
本発明の目的は、車でのカーナビ状態か、人が歩行するマンナビの状態かで、状態に応じた地図誘導情報を表示する端末装置を提供することにある。
【０００９】
【課題を解決するための手段】
本発明は、自分の現在位置を測定する現在位置測定装置と、車でのカーナビ用モードとするかまたは人が歩くマンナビ用モードとするかの手動入力装置を有し、モードにより地図情報を変え、カーナビ用モードの時にはカーナビ用地図情報を、マンナビ用モードの時にはマンナビ用地図情報を、画面に表示することを特徴とする端末装置である。
【００１０】
本発明は、自分の現在位置を測定する現在位置測定装置と、車でのカーナビ用モードとするかまたは人が歩くマンナビ用モードとするかの手動入力装置を有し、モードにより、目的地に行く途中の曲がり角に対する曲がり角より手前の誘導開始位置情報が異なり、カーナビ用地図情報の時が誘導開始位置が大きく、マンナビ用地図情報の時が小さい誘導地図を前記画面に表示することを特徴とする端末装置である。
【００１１】
本発明は、自分の現在位置を測定する現在位置測定装置と、車でのカーナビ用モードとするかまたは人が歩くマンナビ用モードとするかの手動入力装置と、カーナビ用モードかマンナビ用モードかで前記放送受信情報をフィルタするフィルタ条件が異なる放送情報フィルタ装置を有し、前記フィルタ条件内に前記放送受信情報が合った時に、フィルタした情報を前記画面に表示することを特徴とする端末装置である。
【００１２】
本発明で、カーナビ用モードの時にはカーナビ用地図情報とともにカーナビ用である旨を示す表示が、マンナビ用モードの時にはマンナビ用地図情報とともにマンナビ用である旨を示す表示がされることを特徴とする端末装置である。
【００１３】
本発明で、前記手動入力装置が、前記画面に配置のキーを含み、前記キーの入力により、前記カーナビ用モードか前記マンナビ用モードかを選択するのを可能とすることを特徴とする端末装置である。
【００１４】
本発明で、前記手動入力装置が、前記画面に表示されたカーナビ用とマンナビ用の選択肢のいずれかを押すことで前記モードを変えるメニュー装置であることを特徴とする端末装置である。
【００１５】
本発明で、前記手動入力装置が、充電器接続の有無により選択され、有の場合マンナビ用地図情報を、無の場合カーナビ用地図情報を、画面に表示することを特徴とする端末装置である。
【００１６】
本発明で、モードにより画面での現在位置に対する周囲の地図表示範囲が異なり、カーナビ用地図情報の表示の時が広く、マンナビ用地図情報の表示の時が狭く且つ拡大されて大きいことを特徴とする端末装置である。
【００１７】
本発明で、前記カーナビ用地図情報が道路地図であり、前記マンナビ用地図情報が住宅地図であることを特徴とする端末装置である。
【００１８】
【発明の実施の形態】
図１は本発明の端末装置を含む送受信システムを示す図である。
【００１９】
図１において、１００は放送装置、２００は受信用端末装置、３００は放送用人工衛星であり、放送装置１００からの放送信号を受けて、受信用端末装置２００でその放送信号が受信できるように利用される。４００はＧＰＳ（Global  Positioning  System）衛星であり、受信用端末装置２００において自分の位置を想定するために利用される。ここで、端末装置２００は、人が歩行するマンナビ用端末装置であったり、また、車に設置のカーナビ用端末装置であったりする。
【００２０】
放送装置１００は、付加情報付きコンテンツのデータベース１０１と、配信スケジュール管理部１０２と、送信部１０３を有する。配信スケジュール管理部１０２の配信スケジュールに沿い、データベース１０１からの付加情報付きコンテンツが送信部１０３の送られ、放送信号として放送用人工衛星３００に送られる。
【００２１】
端末装置２００は、放送用人工衛星３００からの放送信号およびをＧＰＳ（Global  Positioning  System）衛星４００からの信号を受信する受信部２０１と、放送情報フィルタ部２０２を有する。また、端末装置２００は、マンナビ用情報記憶部２１１と、カーナビ用情報記憶部２１２と、手動入力部２１３と、モード表示部２２１と、モード記憶部２２２と、表示部２３１を有する。手動入力部２１３で、マンナビ用情報記憶部２１１か、カーナビ用情報記憶部２１２かを選択する。モード表示部２２１の状態はモード記憶部２２２に記憶されており、表示部２３１で表示する。また表示状態は、手動入力部２１３で、変えることができる。
【００２２】
端末装置２００は、さらに、現在位置測定部２４１と、地図２５１と、経路計算部２６１と、誘導ポイント決定部２７１と、誘導情報生成部２７２と、制御部２８１を有する。現在位置測定部２４１は、ＧＰＳ（Global  Positioning  System）衛星４００との信号のやり取りで自分の位置を測定する。地図２５１は、必要によっては、放送装置から受信するようにしてもよい。経路計算部２６１は、現在位置測定部２４１によって測定された自分の位置地点に基づいて、目的地までの経路および必要によっては距離も計算する。誘導ポイント決定部２７１は、経路から曲がり角を抽出し、記憶する。誘導情報生成部２７２は、ポイント決定部２７１で抽出された曲がり角に対する誘導情報を生成する。そして地図とともに表示部２３１上で、誘導地図を表示する。制御部２８１は、各部２０１乃至２７２を制御する。
【００２３】
図２は、図１の端末装置２００のモード表示のフローを示す図である。このモード表示は定期的に実行される。
【００２４】
図２において、ステップＳ２１で、図１の制御部２８１は、モード記憶部２２２より、モード状態を確認する。そして、ステップＳ２２で、モード状態を判断し、マンナビの場合、ステップＳ２３に移行し、図１のモード表示部２２１に、マンナビアイコンの表示を実行する。ステップＳ２２で、カーナビの場合には、ステップＳ２４に移行し、図１のモード表示部２２１に、マンナビアイコンの表示を実行する。
【００２５】
図３は、図２のモード表示のフローの結果に基づく、図１の表示部２３１の表示画面を示す図である。
【００２６】
図３において、（ａ）は、カーナビの場合で、表示部２３１の表示画面には、カーナビアイコン３０１が表示されている。また、（ｂ）は、マンナビの場合で、表示部２３１の表示画面には、マンナビアイコン３１１が表示されている。
【００２７】
また、図３（ａ），（ｂ）において、表示画面の左下に、カーナビの場合にはカーアイコン（車の形をしたアイコン）３０２が、マンナビの場合にはマンアイコン（人の形をしたアイコン）３１２が、表示されている。また、表示画面の右下に、「mode」表示のモード設定肢３５１が配置されている。このモード設定肢３５１は、押すことで応答するタッチ式センサを背後に有する。
【００２８】
図４は、図１の端末装置２００のモードを設定する場合のフローを示す図である。図５は、図４におけるモード設定の場合の、図１の表示部２３１の表示画面の表示内容の変化の様子を示す図である。
【００２９】
図４において、ステップＳ４１で、モード入力であるかの判断をし、「はい」の場合、ステップＳ４２で、図１の表示部２３１の表示画面に、モードメニューを表示する。このモードメニュー表示の例が、図５において、（ａ）であり、この場合は、表示部２３１の表示画面に、マンナビアイコン３１１が、マンアイコン３１２とともに表示されている。次の、ステップＳ４３では、図１のモード記憶部２２２から現在モードを取り出す。
【００３０】
次のステップ４４で、モード入力する。すなわち、図５（ａ）において、「ｍｏｄｅ」表示のモード設定肢３５１を押すと、（ｂ）のように、「マンナビ」文字５０１と「カーナビ」文字５０２からなる選択肢が表示される。この選択肢は、押されることで応答するタッチ式センサを背後に有する。ここで、たとえば、「カーナビ」文字５０２を押す。すると、次のステップＳ４５では、表示部２３１の表示画面のモードメニューを消す。そして、次のステップＳ４６で、モードは変更されたかを判断し、ステップＳ４７で、モード記憶部２２２に新モードを設定し、ステップＳ４８で、モード表示を実行する。すると、図５（ｃ）に示すように、表示部２３１の表示画面には、カーナビアイコン３０１が、カーアイコン３０２とともに表示される。
【００３１】
以上のようにして、人が好きなときに、どの場所においても、カーナビ用かマンナビ用に容易にモード設定できる。
【００３２】
図６は、図１のカーナビ用情報記憶部２１２およびマンナビ用情報記憶部２１１に、カーナビ用属性設定情報およびマンナビ用属性設定情報を記憶するフローを示す図である。図７は、カーナビ用属性設定情報およびマンナビ用属性設定情報を示す図である。
【００３３】
図６において、ステップＳ６１で、属性設定のメニュー選択であるかを判断し、「はい」の場合、ステップＳ６２で、図１のモード記憶部２２２から現在モードを取り出す。そして、次のステップＳ６３で、モードがカーナビかマンナビかを判断する。カーナビの場合、ステップＳ６４で、カーナビ用情報記憶部２１２より、属性設定情報を取り出す。次のステップＳ６５で、表示部２３１に、取り出した属性設定情報を表示する。そして、次のステップＳ６６で、カーナビ用情報記憶部２１２に、属性設定情報を記憶する。図７（ａ）は、カーナビ用属性設定情報７０１の例を示す。
【００３４】
ステップＳ６３の判断で、マンナビの場合には、ステップＳ６７で、マンナビ用情報記憶部２１１より、属性設定情報を取り出す。次のステップＳ６８で、表示部２３１に、取り出した属性設定情報を表示する。次のステップＳ６９で、手動入力部２１３より設定情報を入力する。そして、次のステップＳ７０で、マンナビ用情報記憶部２１１に、属性設定情報を記憶する。図７（ｂ）は、マンナビ用属性設定情報７１１の例を示す。
【００３５】
図８は、図１の放送装置１００での送信のフローを示す図である。ステップＳ８１で、図１の配信スケジュール管理部１０２が送信時間であるかどうかを判断する。「はい」の場合、配信スケジュール管理部１０２は、データベース１０１より、付加情報付きコンテンツを送信部１０３に送る。そして、次のステップＳ８３で、送信部１０３は、付加情報付きコンテンツを送信する。
【００３６】
図９は、図８の付加情報付きコンテンツ９０１の例を示す図である。ここで、コンテンツ９０１は、付加情報（目的地位置９１１、配信対象９１２）と、コンテンツ（の内容）９１３からなる。
【００３７】
図１０は、図１の端末装置２００での、図８の付加情報付きコンテンツ９０１の受信のフローを示す図である。
【００３８】
図１０において、ステップＳ１０１で、図１の放送受信部２０１が付加情報付きコンテンツを受信したかどうかを判断し、ステップＳ１０２で、現在位測定部２４１から現在位置を取出し、ステップＳ１０３で、モード記憶部２２２から現在モードを取り出す。そして、ステップＳ１０４で、モードを判別する。カーナビの場合、ステップＳ１０５で、カーナビ情報記憶部２１２からフィルタ条件を取り出す。マンナビの場合には、ステップＳ１０６で、マンナビ情報記憶部２１１からフィルタ条件を取り出す。そして、次のステップＳ１０７で、付加情報（目的位置、配信対象）を取り出す。また、次のステップＳ１０８で、現在位置とフィルタ条件内に付加情報が合致しているかどうかを判断し、「ノー」ならば、ステップＳ１０１に戻り、「ハイ」ならば、次のステップＳ１０９で、表示部２３１はコンテンツを表示する。
【００３９】
図１１は、図１の端末装置２００での、ナビゲーションの経路設定のフローを示す図である。ステップＳ１１０１で、ユーザが経路決定したかどうかを判断する。次のステップＳ１１０２で、図１の地図２５１を取り出し、経路計算部２６１で経路決定をする。そして、次のステップＳ１１０３で、誘導ポイント決定部２７１は、経路から曲がり角を抽出し、記憶する。
【００４０】
図１２は、図１の端末装置２００での、ナビゲーションの経路の誘導情報生成および表示のフローを示す図である。このフローは定期的に実行される。
【００４１】
図１２において、ステップＳ１２０１で、現在位置測定部２４１から、現在位置と方向を取り出す。次のステップＳ１２０２で、モード記憶部２２２から現在モードを取り出す。そして、次のステップＳ１２０３で、モードを判断する。カーナビの場合、ステップＳ１２０４で、カーナビ情報記憶部２１２から、カーナビ用誘導開始地点情報を取り出す。マンナビの場合には、ステップＳ１２０５で、マンナビ情報記憶部２１１から、マンナビ用誘導開始地点情報を取り出す。次のステップＳ１２０７で、現在位置で誘導開始情報の距離動いたら曲がり角があるかどうかを判断する。「あり」の場合、次のステップ１２０８で、図１の誘導情報生成部２７２に現在位置、方向と曲がり角位置を設定する。次のステップ１２０９で、誘導情報生成部２７２は、地図２５１と現在位置と曲がり角位置から誘導地図を生成する。そして、次のステップ１２１０で、表示部２３１は誘導地図を表示する。このようにして、カーナビかマンナビかに適した誘導地図が、表示部２３１に表示される。
【００４２】
なお、図１の手動入力部として、図示では、図３のキー入力およびさらに図５の選択肢のメニュー表示の選択であったが、なにもそれに限定されず、キー入力または選択肢のメニュー表示の選択であってもよく、また充電器接続の有無により選択し、有の場合マンナビ用地図情報を、無の場合にはカーナビ用地図情報を、画面に表示するようにしてもよい。
【００４３】
また、地図情報の表示の時、現在地点に対する周囲の地図表示範囲を変え、カーナビ用地図情報の方が広く、マンナビ用地図情報の方が狭くそれでいて拡大されて大きいすると、実用的で便利である。またその時、カーナビ用地図情報が道路地図であり、マンナビ用地図情報であると、なお一層実用的で便利である。
【００４４】
【発明の効果】
本発明によれば、人が歩行するマンナビの状態か車でのカーナビ状態かで、状態に応じた地図誘導情報を表示する端末装置を提供することができる。
【図面の簡単な説明】
【図１】本発明の端末装置を含む送受信システムを示す図である。
【図２】図１の端末装置２００のモード表示のフローを示す図である。
【図３】図２のモード表示のフローの結果に基づく、図１の表示部２３１の表示画面を示す図である。
【図４】図１の端末装置２００のモードを設定する場合のフローを示す図である。
【図５】図４におけるモード設定の場合の、図１の表示部２３１の表示画面の表示内容の変化の様子を示す図である。
【図６】図１のカーナビ用情報記憶部２１２およびマンナビ用情報記憶部２１１に、カーナビ用属性設定情報およびマンナビ用属性設定情報を記憶するフローを示す図である。
【図７】カーナビ用属性設定情報およびマンナビ用属性設定情報を示す図である。
【図８】図１の放送装置１００での送信のフローを示す図である。
【図９】図８の付加情報付きコンテンツ９０１の例を示す図である。
【図１０】図１の端末装置２００での、図８の付加情報付きコンテンツ９０１の受信のフローを示す図である。
【図１１】図１の端末装置２００での、ナビゲーションの経路設定のフローを示す図である。
【図１２】図１の端末装置２００での、ナビゲーションの経路の誘導情報生成および表示のフローを示す図である。
【符号の説明】
１００…放送装置、１０１…付加情報付きコンテンツのデータベース、１０２…配信スケジュール管理部、１０３…送信部、３００は放送用人工衛星、４００…ＧＰＳ（Global  Positioning  System）衛星、２００…受信用端末装置、２０１…受信部、２０２…放送情報フィルタ部、２１１…マンナビ用情報記憶部、２１２…カーナビ用情報記憶部、２１３…手動入力部、２２１…モード表示部、２２２…モード記憶部、２３１…表示部、２４１…現在位置測定部、２５１…地図、２６１…経路計算部、２７１…誘導ポイント決定部、２７２…誘導情報生成部、２８１…制御部、３０１…カーナビアイコン、３０２…カーアイコン、３１１…マンナビアイコン、３１２…マンアイコン、３５１…「mode」表示のモード設定肢、５０１…、「マンナビ」文字、５０２…「カーナビ」文字、７０１…カーナビ用属性設定情報、７１１…マンナビ用属性設定情報、９０１…付加情報付きコンテンツ、９１１…目的地位置、９１２…配信対象、９１３…コンテンツ。
【図１】
0003691366.tif 000002
【図２】
0003691366.tif 000003
【図３】
0003691366.tif 000004
【図４】
0003691366.tif 000005
【図５】
0003691366.tif 000006
【図６】
0003691366.tif 000007
【図７】
0003691366.tif 000008
【図８】
0003691366.tif 000009
【図９】
0003691366.tif 000010
【図１０】
0003691366.tif 000011
【図１１】
0003691366.tif 000012
【図１２】
0003691366.tif 000013